(57)【要約】  【課題】  タイル形状を工夫することにより、タイルに損傷を与えることなく任意の箇所のタイル目地部から基板を介して下地躯体に直接ビスやアンカーで固定することができるタイルパネルの固定施工方法を提供する。基板として、フレキシブルな基板を用いることができる。  【解決手段】  基板の表面に複数枚のタイルが取り付けられているタイルパネルを下地躯体に固定させるに際し、タイルの少なくとも一部に切り欠き部が設けられており、該切り欠き部から該基板を介して下地躯体に固定することを特徴とするタイルパネルの固定施工方法で、切り欠き部は、例えばタイルの目地交差部に設けられている。  【選択図】  図４
2006265847.tif 000002
【特許請求の範囲】
【請求項１】
基板の表面に複数枚のタイルが取り付けられているタイルパネルを下地躯体に固定させるに際し、タイルの少なくとも一部に切り欠き部が設けられており、該切り欠き部から該基板を介して下地躯体に固定部材で固定することを特徴とするタイルパネルの固定施工方法。
【請求項２】
切り欠き部がタイルの少なくとも一角に設けられている請求項１記載のタイルパネルの固定施工方法。
【請求項３】
切り欠き部がタイルの目地交差点の箇所に設けられている請求項１または２記載のタイルパネルの固定施工方法。
【請求項４】
固定部材がビスまたはアンカーであることを特徴とする請求項１〜３のいずれかに記載のタイルパネルの固定施工方法。
【請求項５】
基板がフレキシブル基板であり、該フレキシブル基板に面する裏面側の少なくとも１辺部に厚さを減少させた断面欠損部を有するタイルがに取り付けられてなるタイルパネルを使用することを特徴とする請求項１〜４のいずれかに記載のタイルパネルの固定施工方法。
【請求項６】
タイルが躯体曲面と直交する側の辺に断面欠損部が設けられてなる請求項１記載のタイルパネルの固定施工方法。
【請求項７】
断面欠損部のタイル幅方向の欠損幅ｗが、タイル幅Ｗの１０〜３０％である請求項５または６記載のタイルパネルの固定施工方法。
【請求項８】
断面欠損部のタイル厚さ方向の厚さｄが、タイル厚さＤの１０〜３０％である請求項５〜７のいずれかに記載のタイルパネルの固定施工方法。
【発明の詳細な説明】
【技術分野】
【０００１】
本発明は、基板の表面に複数枚のタイルが取り付けられているタイルパネルを下地躯体に固定させるためのタイルパネルの固定施工方法に関し、特に建築物やトンネル等の構造物の内外装材として好適に使用されるタイルパネルの固定施工方法に関するものである。
【背景技術】
【０００２】
従来、建築物やトンネル等の内外壁面には、外観を美麗にするなどの目的で、タイルを下地躯体である内外壁面に直貼りして仕上げることが行われている。しかしながら、このタイルの直貼り作業は、接着剤を用いて躯体壁面に人手によってタイルを貼り付ける工程を要するため施工性が悪く、また、冬季は接着硬化に適した温度養生が必要で、夏季には結露対策として乾燥作業が必要になるなど、作業環境に左右されるという問題があった。
【０００３】
そのため、タイルを一枚一枚躯体壁面に直貼りする煩雑さを回避し、現場での作業を軽減するため、セメント板等の所定の基板に複数枚のタイルを予め接着剤等で貼り付けたタイルパネルが知られている（特許文献１、特許文献２および特許文献３参照。）。このタイルパネルは、予め工場等で製造しておいてそれを施工現場で壁面に貼り付けるようにしたものであり、品質の管理が容易で建築物等の躯体壁面への施工や補修、交換も短時間で行えることなどの利点がある。
【０００４】
このようなタイルパネルは、基板上に、例えば、磁器質の複数枚のタイルを接着剤で予め工場等で接着したものであり、磁器質のタイル表面には釉薬を塗布して反射率を向上させたものが多く用いられている。また、タイルパネルとしては、基板の性質または種類により、硬質ケイ酸カルシウム板系、押出成形セメント板系、および、ガラス繊維強化セメント板系のタイルパネルが知られている。しかしながら、これらのタイルパネルは、曲げ破壊には強いが非常に重いので、タイルパネルの施工現場での下地面への貼り付け作業には多くの労力が必要であり、作業効率上の課題がある。
【０００５】
また、タイル直貼りを改良した従来のタイルパネルは、金属ファスナーを介して下地躯体に固定されている。そのため、金属ファスナーを挿入するためのタイル切削加工や、基板へのナット埋め込み加工等の２次加工を施し、タイルパネルと金属ファスナーを連結する必要があった。
【０００６】
また、 基板１の表面に化粧タイル材２が取り付けられている化粧壁面パネルＡを、基板の裏面を接着剤５で建築物の外壁下地面Ｋに接着すると共に、基板をビス６止めして外壁下地面に取り付けることで建築物の外壁を形成する外壁面施工方法が提案されている（特許文献４参照）。タイル間の目地幅は、通常、意匠性の観点から２〜１０ｍｍ程度とされており、目地は目地詰め処理されている。このような場合、タイル目地部から基板を介して下地躯体にビスまたはアンカー等でパネルを固定しようとすると、目地幅が足りず固定施工できなかったり、タイル小口を傷つけてしまうというような問題があった。
【特許文献１】特開平７−３１７４９５号公報
【特許文献２】特開２０００−２４８８９９号公報
【特許文献３】特開２０００−２７４０５０号公報
【特許文献４】特開２００１−６５１５２号公報
【発明の開示】
【発明が解決しようとする課題】
【０００７】
そこで本発明の目的は、タイル形状を工夫することにより、タイルに損傷を与えることなく任意の箇所のタイル目地部から基板を介して下地躯体に直接ビスやアンカーで固定することができるタイルパネルの固定施工方法を提供することにある。
【０００８】
本発明の他の目的は、曲面形状のタイル取り付け下地躯体の壁面に沿って取りつけることができる軽量なタイルパネルを使用したタイルパネルの固定施工方法を提供することにある。
【０００９】
また、タイル間目地幅を通常のように２〜５ｍｍとした場合は、タイルパネル自体が剛体となって所定の曲率が得られなくなる可能性がある。タイル間目地幅を大きくすれば曲がり易くなるが、それではタイル面の実面積が少なくなって内外装の役をなさない。そこで本発明の他の目的は、タイル間目地幅が狭くても曲面形状の躯体壁面に好適に貼り付けることができるタイルパネルの固定施工方法を提供することにある。
【課題を解決するための手段】
【００１０】
上記目的を達成するための本発明のタイルパネルの固定施工方法は、基板の表面に複数枚のタイルが取り付けられているタイルパネルを下地躯体に固定させるに際し、タイルの少なくとも一部に切り欠き部が設けられており、該切り欠き部から該基板を介して下地躯体に固定部材で固定することを特徴とするタイルパネルの固定施工方法である。
【００１１】
本発明のタイルパネルの固定施工方法の好ましい態様によれば、前記の切り欠き部はタイルの少なくとも一角に設けられており、また、前記の切り欠き部はタイルの目地交差点の箇所に設けられている。
【００１２】
本発明のタイルパネルの固定施工方法の好ましい態様によれば、前記の固定部材としてビスまたはアンカーが用いられる。
【００１３】
本発明のタイルパネルの固定施工方法の好ましい態様によれば、前記の基板はフレキシブル基板であり、該フレキシブル基板に面する裏面側の少なくとも１辺部に厚さを減少させた断面欠損部を有するタイルがに取り付けられてなるタイルパネルを使用することである。
【００１４】
本発明のタイルパネルの固定施工方法の好ましい態様によれば、前記のタイルが躯体曲面と直交する側の辺に断面欠損部が設けられてなるタイルである。
【００１５】
本発明のタイルパネルの固定施工方法の好ましい態様によれば、前記の断面欠損部のタイル幅方向の欠損幅ｗが、タイル幅Ｗの１０〜３０％であり、前記の断面欠損部のタイル厚さ方向の厚さｄが、タイル厚さＤの１０〜３０％であることである。
【発明の効果】
【００１６】
本発明によれば、少なくとも一角に切り欠き部を設けたタイルを用いたから、その切り欠き部の空隙を利用して、基板を介して下地躯体に直接ビスやアンカーでタイルを損傷することなく固定することができる。
【００１７】
また、従来のタイルパネルでは、金属ファスナーの取り付け位置が限定されるが、本発明においては、形成された任意の切り欠き部での固定が可能である。このことは、設計上必要な強度に応じて固定箇所を増減できるという自由性を与えると共に、下地躯体の状況に応じて固定箇所を変更できるという自由性をも与える。
【００１８】
また、本発明によれば、フレキシブル基板を用いたタイルパネルとすることにより、軽量で、曲面形状のタイル取りつけ下地躯体の壁面に沿って取りつけることができ、タイル間目地幅が狭くても曲面形状の躯体壁面に好適に貼り付けることができるという効果を奏する。
【発明を実施するための最良の形態】
【００１９】
まず、本発明の最良の実施形態の例を図面を参照しながら説明する。図１は、本発明で用いられるタイルパネルを例示説明するための平面図であり、図２は、その図１のタイルパネルのＡ−Ａ線における断面図である。
【００２０】
図１と図２において、タイルパネル１は、基板２の表面に複数枚のタイル３が接着剤４等を介して取り付けられている。複数のタイル３は、相互に隣接する他のタイル３との間に適当な間隔のタイル目地部５をもって配置されており、このタイル目地部５の幅は、タイル３の大きさや用途等により異なるが、例えば、通常の建築物では２〜１０ｍｍ程度であり、トンネル壁面に適用する場合は２〜５ｍｍ程度である。
【００２１】
図１において、長方形のタイル３の４角には、切り欠き部６が設けられており、タイル目地部５の延長線上で、４枚のタイル３が相対する目地交差点７には、４枚のタイル３の切り欠き部６により形成された空隙が形成されている。タイルパネル１は、任意の目地交差点７の切り欠き部６から基板２を介して下地躯体８にビスやアンカー等の固定部材９で固定される。
【００２２】
図１の態様では、切り欠き部６は長方形のタイル３の４角に設けられているが、その切り欠き部６は、固定部材９を打ち込む空隙を形成するためのものであり、タイル３の少なくとも一角にあればよい。切り欠き部６は、タイル３の２角または３角に設けてもよい。
また、図１では、複数の全てのタイル３の４角に切り欠き部６が設けられているが、切り欠き部６は固定部材９で固定する箇所にあればよく、したがって、切り欠き部６が設けられていないタイル３が存在していてもよい。図１のように、タイル３の４角すべてに切り欠き部６が設けられている場合は、切り欠き部６で形成される任意の目地交差点７で固定部材９で固定することができる。また、予め固定部位が決められる場合は、切り欠き部６はタイル３の一角だけでもよく、また、切り欠き部６が設けられていないタイル３が混在していてもよい。
【００２３】
次に、切り欠き部６とタイルパネル１を固定する施工例について詳しく説明する。
【００２４】
図３は、本発明で用いられるタイル３の切り欠き部６の形状を例示説明するための部分拡大平面図である。図３（ａ）の態様では、タイル３の切り欠き部６は直線状に切り取られており、図３（ｂ）では円形状に、そして、図３（ｃ）では矩形状に切り取られた形状を呈している。切り欠き部６の形状は、図３（ａ）〜（ｃ）の形状を組み合わせてもよく、あるいは他の形状であってもよい。
図４は、本発明のタイルパネルの固定施工例を例示説明するためのタイルパネルの部分拡大平面図である。図４において、切り欠き部６が設けられた４枚のタイル３の角部の目地交差点７に、タイル目地部５の延長上で拡大された空隙部分が形成されており、この空隙部分から固定部材９が打ち込まれ、基板が下地躯体に固定される。
図４（ａ）、（ｂ）および（ｃ）のタイル３は、図３（ａ）、（ｂ）および（ｃ）の形状の切り欠き部６を有するタイル３に、それぞれ対応している。また、図４（ｄ）の態様は、４枚のタイルのうち、１枚のタイル３のみに矩形状の切り欠き部６が形成されている例である。切り欠き部６は、タイルの辺に形成することもできるが、タイルの生産性のや意匠の点から、図３や図４のようにタイル角部に形成される。
【００２５】
本発明で用いられるタイルとしては、磁器質タイルが代表的で、磁器質のタイル表面には釉薬を塗布して反射率を向上させたものが挙げられる。その中でトンネル用途としては、例えば、二丁掛けタイル（６０ｍｍ×２２７ｍｍ）や１００ｍｍ×２００ｍｍタイル等が挙げられる。
【００２６】
タイルの大きさは、用途によって異なるが、通常、一辺が４５ｍｍ〜２００ｍｍ位の四角形で、厚さは９ｍｍ〜１２ｍｍ位のものが用いられる。この場合、目地幅を２０〜１０ｍｍ程度とすると、この目地幅と固定房以上の形状から、切り欠き部６の大きさは３〜１０ｍｍ程度が好ましい。
【００２７】
また、本発明で用いられる基板としては、耐食性の高い鋼板や高質ケイ酸カルシウム板等が挙げられる。鋼板は亜鉛等のメッキを施したものが好ましく、厚さは通常０．６ｍｍ〜１．６ｍｍ位の厚さのものが用いられる。また、高質ケイ酸カルシウム板は、４ｍｍ〜６ｍｍ位の厚さのものが用いられる。
【００２８】
本発明においては、基板としてフレキシブル基板を用いることができる。下地躯体の曲面に沿うように湾曲させるためであり、そのために、曲げ弾性率が３．０×１０６ｋｇｆ／ｃｍ２〜１．０×１０５ｋｇｆ／ｃｍ２のフレキシブル基板が好適で、特に２．５×１０６ｋｇｆ／ｃｍ２〜１．５×１０５ｋｇｆ／ｃｍ２のフレキシブル基板が好適に用いられる。曲げ弾性率は、「金属材料曲げ試験方法」（ＪＩＳ  Ｚ  ２２４８）で測定することができる。
【００２９】
また、本発明では、タイルパネルとして、曲面用タイルパネルを使用することができる。躯体曲面に沿うように湾曲させるためであり、そのために、曲げ弾性率が３．０×１０６ｋｇｆ／ｃｍ２〜１．０×１０５ｋｇｆ／ｃｍ２のフレキシブル基板が好適で、特に２．５×１０６ｋｇｆ／ｃｍ２〜１．５×１０５ｋｇｆ／ｃｍ２のフレキシブル基板が好適に用いられる。曲げ弾性率は、「金属材料曲げ試験方法」（ＪＩＳ  Ｚ  ２２４８）で測定することができる。
【００３０】
曲面用タイルパネルは、フレキシブル基板上に複数のタイルが接着剤を介して貼り付けられている。タイルは、相互に隣接する他のタイルとの間に適当な間隔の目地をもって配置されており、この目地の幅は、タイルの大きさや用途等により異なるが、例えば、トンネル壁面に適用する場合の目地幅は２〜５ｍｍ程度である。
【００３１】
タイルには、フレキシブル基板に面する裏面側の少なくとも１辺部にその厚さを減少させた断面欠損部が形成されている。本発明で用いられるタイルのこの断面欠損部は、好適には、タイルが躯体曲面と直交する側の辺部に設けられている。断面欠損部は、タイル３の上辺側と下辺側の相対する２辺部に形成されていてもよく、取りつけられる曲面形状により１辺部のみに断面欠損部が形成されたタイルであってもよい。
【００３２】
本発明では、基板に曲げ弾性率の大きいフレキシブル基板を用い、かつタイルの裏面側にその厚さを減少させた切り欠いた断面欠損部を設けたことにより、タイルパネルをタイル側に自然に湾曲させることができ、しかも目地幅を大きくすることなく下地躯体の壁面に取りつけることができる。曲面用タイルパネルを湾曲させることで、目地幅はより小さくなるが、湾曲の程度によりタイルを貼り付けるときにそれを見越して目地幅を調整することができる。このように、断面欠損部の形状と目地幅は、曲面形状に合わせ適宜することができる。
【００３３】
また、断面欠損部は、タイルの上辺部と下辺部の各裏面側に、直方体状で貫通して切り取られた形状で形成されている。この場合のタイルの上辺と下辺は、タイルが躯体曲面と直交する側の辺に該当する。
【００３４】
断面欠損部において、断面欠損部タイル幅方向の欠損幅ｗは、タイル幅Ｗの１０〜３０％であることが好ましく、より好ましくは１５〜２５％である。また、断面欠損部のタイル厚さ方向の厚さｄは、タイル厚さＤの１０〜３０％であることが好ましく、より好ましくは１５〜２５％である。欠損幅ｗと厚さｄが小さすぎると躯体曲面に沿って湾曲させることが難しく、また、欠損幅ｗと厚さｄが大きすぎると、タイルのフレキシブル基板への接着面積が小さくなりすぎ、タイル３の十分な保持が期待できなくなる。
【００３５】
断面欠損部は、直方体状で切り取られた形状で形成されているが、立方体状切り取られた形状であってもよい。断面欠損部はタイルの１辺部のみに形成されていてもよく、また、断面欠損部はタイルの上辺側と下辺側の相対する２辺部にテーパーをもって三角錐状で貫通して切り取られた形状で形成されていてもよく、さらに、断面欠損部はタイルの２辺部に全体が曲線をもって切り取られた形状で形成されていてもよい。また、タイルは、断面欠損部の終端が曲線をもって切り取られた形状で断面欠損部が形成されていてもよい。
【００３６】
本発明では、前記の断面欠損部は、直方体状（または立方体状）のものが切り取られた形状、もしくは終端が曲線をもって切り取られた形状のものであることが好ましい。これらの形状は、製作加工のし易さの点で有利である。
【００３７】
本発明で用いられる曲面用タイルパネルは、基板にタイルを貼り付けてなるタイルパネルにおいて、基板としてフレキシブル基板を、また、タイルとして、そのフレキシブル基板に面する裏面側の少なくとも１辺部に厚さを減少させた断面欠損部を有するタイルを用いたものである。
【００３８】
本発明において、断面欠損部を有するタイルが接着剤等でフレキシブル基板に貼り付けられる。接着剤の種類や塗布量等は、使用するタイルと基板合わせ適宜選定される。通常、複数のタイルが適当な目地幅をもってフレキシブル基板に貼着される。貼着されるタイル枚数は任意であり、３０〜２００枚／ｍ２でもよく、例えば、上述したトンネル用の二丁掛けタイルの場合は好ましくは６０〜８０枚／ｍ２位であり、また、１００ｍｍ×２００ｍｍタイルの場合は好ましくは４０〜６０枚／ｍ２位である。
【００３９】
タイルは、適宜な目地幅をもってフレキシブル基板に貼着される。本発明の曲面用タイルパネルは、躯体曲面に合わせ湾曲させるので、目地幅が小さすぎるとタイル同士が当接して脱落することがある。また、目地幅が大きすぎると、タイル面の実面積が少なくなって内外装の役をなさないことになる。本発明では、タイルの目地幅を２ｍｍ〜５ｍｍの範囲で有効に適用することができる。
【００４０】
本発明において、切り欠き部を有するタイルが接着剤等で基板に取り付けられる。接着剤の種類や塗布量等は、使用するタイルと基板合わせ適宜選定される。通常、複数のタイルが適当な目地幅をもって基板に貼着される。貼着されるタイル枚数は任意であり、３０〜２００枚／ｍ２でもよく、例えば、トンネル用の二丁掛けタイルの場合は好ましくは６０〜８０枚／ｍ２位であり、また、１００ｍｍ×２００ｍｍタイルの場合は好ましくは４０〜６０枚／ｍ２位である。
【００４１】
タイルは、適宜な目地幅をもって基板に取り付けられる。本発明では、タイル目地部の幅は好ましくは２〜１０ｍｍの範囲であり、２ｍｍ〜５ｍｍの範囲でも有効に適用することができる。
【００４２】
次に、本発明の曲面用タイルパネルをトンネル壁面に取りつける場合について、説明する。主要高速道路のトンネルの上部の躯体曲面は、通常、曲率半径ｒが約５００ｃｍである。この躯体曲面に対し、幅６４０ｍｍ×長さ１,５５６ｍｍのフレキシブル基板（高耐食性亜鉛メッキ鋼板、曲げ弾性率：２．１×１０６ｋｇｆ／ｃｍ２）に、断面欠損部を設けた１００ｍｍ×２００ｍｍ磁器質タイルを目地幅４ｍｍで接着剤で貼り付けた曲面用タイルパネルを、取りつける。取り付けは、タイルの少なくとも一部に設けられたきタイルが取り付けられたタイルパネルのタイルの欠き部から、ステンレスボルト等の固定部材で基板を介して下地躯体に固定される。
【産業上の利用可能性】
【００４３】
本発明のタイルパネルの固定施工方法は、タイルに設けられた切り欠き部の空隙を利用して、基板を介して下地躯体に直接ビスやアンカーでタイルを損傷することなく固定することができ、その切り欠き部は任意の箇所に形成することができ、設計上必要な強度に応じて固定箇所を増減できるという自由性を与えると共に、下地躯体の状況に応じて固定箇所を変更できるという自由性をも与えることができるため、各種構造物の内外装材として使用され産業上の利用可能性が大きい。
【００４４】
また、本発明では、曲面用タイルパネルを使用することにより、曲面下地躯体の壁面に沿って貼り付けることができるので、トンネルや建築物等の曲面のある構造物を自然な感じで美麗に飾ることができる。
【図面の簡単な説明】
【００４５】
【図１】図１は、本発明で用いられるタイルパネルを例示説明するための平面図である。
【図２】図２は、図１のタイルパネルのＡ−Ａ線における断面図である。
【図３】図３は、本発明で用いられるタイルを例示説明するための部分拡大平面図である。
【図４】図４は、本発明の固定施工例を例示説明するためのタイルパネルの部分拡大平面図である。
【符号の説明】
【００４６】
１    タイルパネル
２    基板
３    タイル
４    接着剤
５    タイル目地部
６    切り欠き部
７    目地交差点
８    下地躯体
９    固定部材      
【図１】
2006265847.tif 000003
【図２】
2006265847.tif 000004
【図３】
2006265847.tif 000005
【図４】
2006265847.tif 000006